(57)【要約】【課題】  カバーの開閉動作等により発生する振動で起こり得るＨＤＤの誤動作、故障を防止することができる画像形成装置を提供する。【解決手段】  画像読取部と、画像読取部を覆う開閉可能なプラテンカバーと、プラテンカバーの開閉動作を検出するカバーセンサ(1)１０と、プリンタと、プリンタに開閉可能に設けられたプリンタカバーと、プリンタカバーが開いていることを検出するカバーセンサ(2)１９と、開閉可能なジャム解除カバーと、ジャム解除カバーが開いていることを検出するジャム解除カバーセンサ２０と、データを記憶するＨＤＤ２３とを備える。ＭＰＵ１は、カバーセンサ(1)でプラテンカバーの開閉動作が検出されたとき、カバーセンサ(2) でプリンタカバーの開状態が検出されたとき、又はジャム解除カバーセンサ２０でジャム解除カバーの開状態が検出されたとき、ＨＤＤ２３の読み書きを停止する制御を行う。【選択図】      図１
2006135821.tif 000002
【特許請求の範囲】
【請求項１】
画像読取部と、画像読取部を覆う開閉可能なプラテンカバーと、データを記憶するＨＤＤとを備えた画像形成装置において、
プラテンカバーの開閉動作を検出するセンサと、このセンサでプラテンカバーの開閉動作が検出されたとき、ＨＤＤの読み書きを停止する制御手段とを備えたことを特徴とする画像形成装置。
【請求項２】
画像形成部と、画像形成部に開閉可能に設けられたカバーと、データを記憶するＨＤＤとを備えた画像形成装置において、
画像形成部のカバーが開いていることを検出するセンサと、このセンサでカバーが開いていることが検出されたとき、ＨＤＤの読み書きを停止する制御手段とを備えたことを特徴とする画像形成装置。
【請求項３】
ジャム解除カバーと、ジャム解除カバーが開いていることを検出するセンサとを備え、前記制御手段は、センサでジャム解除カバーが開いていることが検出されたときにも、ＨＤＤの読み書きを停止することを特徴とする請求項２記載の画像形成装置。
【発明の詳細な説明】
【技術分野】
【０００１】
この発明は、ファクシミリ、コピー機、プリンタ、スキャナ、或いはこれらの機能を備えた複合機等として使用される画像形成装置に関する。
【背景技術】
【０００２】
ファクシミリ、コピー機、プリンタ、スキャナ、或いはこれらの機能を備えた複合機では、多量の画像データを格納できるようにハードディスクドライブ(ＨＤＤ）を備えたものがある。ＨＤＤは、データの読み出し、書き込み中に振動が与えられると、機械的に故障するだけでなく、誤ったデータの読み出し、書き込みにもつながる。そこで、ＨＤＤ収納部のカバーが開放されたときには、ＨＤＤの読み書きを停止するようにした画像形成装置が提案されている（例えば、特許文献１参照）。
【特許文献１】特開２００２−２８１２０５号公報
【発明の開示】
【発明が解決しようとする課題】
【０００３】
ところで、振動が発生するのは、ＨＤＤ収納部のカバーが開放されたときだけでなく、プラテンカバーの開閉時、特に原稿自動搬送装置(ＡＤＦ）が組み込まれている場合には、その重量が大となっているため、大きな振動が発生する。また、プリンタカバーやペーパージャム解除カバーが開かれた時にも、トナーボトルやドラムの交換のためやジャム解除のために振動が発生する。これらの振動もＨＤＤに影響を与える恐れがある。しかしながら、上記特許文献１記載の画像形成装置を始めとして、これまでの画像形成装置にはそのような振動の対策が施されていないのが実状である。
【０００４】
この発明は、そのような問題点に着目してなされたもので、カバーの開閉動作等により発生する振動で起こり得るＨＤＤの誤動作、故障を防止することができる画像形成装置を提供することを目的とする。
【課題を解決するための手段】
【０００５】
前記目的を達成するために、本発明の請求項１記載の画像形成装置は、画像読取部と、画像読取部を覆う開閉可能なプラテンカバーと、データを記憶するＨＤＤとを備えたものにおいて、プラテンカバーの開閉動作を検出するセンサと、このセンサでプラテンカバーの開閉動作が検出されたとき、ＨＤＤの読み書きを停止する制御手段とを備えたことを特徴とする。
【０００６】
また、請求項２記載の画像形成装置は、画像形成部と、画像形成部に開閉可能に設けられたカバーと、データを記憶するＨＤＤとを備えたものにおいて、画像形成部のカバーが開いていることを検出するセンサと、このセンサでカバーが開いていることが検出されたとき、ＨＤＤの読み書きを停止する制御手段とを備えたことを特徴とする。
【０００７】
請求項２記載の画像形成装置においては、更に、ジャム解除カバーと、ジャム解除カバーが開いていることを検出するセンサとを備え、制御手段は、センサでジャム解除カバーが開いていることが検出されたときにも、ＨＤＤの読み書きを停止することが好ましい。  
【発明の効果】
【０００８】
請求項１記載の発明によれば、プラテンカバーの開閉動作によって生じる振動により起こり得るＨＤＤの誤動作、故障を防止することができる。
【０００９】
請求項２記載の発明によれば、画像形成部のカバーが開いているときには、トナーボトルの着脱や、ドラムユニット、現像ユニットの交換、詰まった用紙の除去等の操作が行われるが、ＨＤＤの読み書きが停止されていることにより、それらの操作による振動で起こり得るＨＤＤの誤動作、故障を防止することができる。
【００１０】
請求項３記載の発明によれば、画像形成部のカバーとは別にジャム解除カバーが設けられている場合には、詰まった用紙の除去のために振動が発生するが、このような振動に対しても、ＨＤＤの誤動作や故障を防止することができる。
【発明を実施するための最良の形態】
【００１１】
以下、実施の形態により、この発明を更に詳細に説明する。
【００１２】
その実施形態に係る画像形成装置の全体の概略構成ブロック図を図１に示す。この画像形成装置は、ファクシミリ機能とコピー機能とを備えたいわゆる複合機として構成したものである。
【００１３】
図１において、制御手段としてのＭＰＵ（中央処理装置）１は、この複合機全体を制御する。
【００１４】
このＭＰＵ１には、ＮＣＵ（Network Control Unit）２、ＭＯＤＥＭ３、ＣＯＤＥＣ（符号化・復号器：Coder and Decoder ）４、読取画像処理回路５、スキャナ機構制御回路７、操作部１１、表示部１２、ＲＯＭ１３、ＲＡＭ１４、画像メモリ１５、プリント用画像処理回路１６、プリンタ機構制御回路１８、ＨＤＤＩ/Ｆ(Ｅ-ＩＤＥ)２２がバス２５を介して接続されている。
【００１５】
ＮＣＵ２は、ＭＰＵ１により制御されて、回線２４と当該複合機との接続を制御すると共に、通信相手の電話番号に応じたダイヤルパルスを送出する機能及び着信を検出する機能を有する。なお、回線２４は一般公衆電話回線網（ＰＳＴＮ）に接続されている。ＭＯＤＥＭ３は、送受信データの変復調、具体的には本来はデジタル信号である送信データをアナログの音声信号に変調してＮＣＵ２を介して回線２４に送出し、また逆に回線２４からＮＣＵ２を介して受信したアナログの音声信号をデジタル信号に復調する。ＣＯＤＥＣ４は、画像メモリ１５に記憶された送信すべき画像データを符号化し、また受信した画像データを復号して画像メモリ１５に記憶する。
【００１６】
読取画像処理回路５は、画像読取部においてＣＣＤ６でスキャンした画像を処理する。スキャナ機構制御回路７は、画像読取部において走査用の光源８の点灯・消灯、ＣＣＤ６を有するスキャナを走査するためのモータ９の動作等を制御する。このスキャナ機構制御回路７には、当該複合機に設けられた画像読取部を覆う開閉可能なプラテンカバー(図示せず) の開閉動作を検出するカバーセンサ(1)１０からの信号（プラテンカバーの開閉動作検出信号）が取り込まれる。ＭＰＵ１は、カバーセンサ(1)１０でプラテンカバーの開閉動作が検出されたとき、ＨＤＤ２３の読み書きを停止する制御を行う。なお、画像読取部は、フラットベッドスキャナに載せた原稿を読み取る機構や、原稿自動搬送装置(ＡＤＦ）を利用して原稿を連続的に読み取る機構を含む。
【００１７】
操作部１１は、電話番号、ＦＡＸ番号を入力するためのテンキー、相手先の電話番号をワンタッチで呼び出すワンタッチキー、ＦＡＸの開始等を指示するスタートキー、動作等の停止を指示するストップキー等を有する。表示部１２は、操作部１１の操作により入力された電話番号やＦＡＸ番号、プリンタのトナー残量等の種々の情報を表示する。この表示部１２としては、ＣＲＴディスプレイやＬＣＤ（液晶表示装置）が用いられる。
【００１８】
ＲＯＭ１３は、この複合機全体の動作を制御するためのプログラム等を予め記憶してある。ＲＡＭ１４は、ＭＰＵ１による制御に必要なデータ及び制御動作時に一時記憶が必要なデータ等を記憶する。画像メモリ１５は、ＣＣＤ６が読み取って読取画像処理回路５により画像変換された画像データを圧縮状態で記憶し、また外部から回線２４とＭＯＤＥＭ３を介して受信した画像データも圧縮状態で記憶する。
【００１９】
プリント用画像処理回路１６は、プリンタ(画像形成部)に供給する画像データをプリンタの解像度に応じた画像データに変換すると共に、プリント時にプリンタの感光ドラム(図示せず)に画像データに応じた静電潜像を形成するようにＬＥＤプリントヘッド１７を制御する。
【００２０】
プリンタ機構制御回路１８は、プリンタにおける露光、現像、転写、定着、用紙搬送に係る各部を制御する。このプリンタ機構制御回路１８には、プリンタに開閉可能に設けられたプリンタカバー(図示せず)が開いていることを検出するカバーセンサ(2)１９からの信号（カバーの開検出信号）と、当該プリンタに開閉可能に設けられたジャム解除カバー(図示せず)が開いていることを検出するジャム解除カバーセンサ２０からの信号（ジャム解除カバーの開検出信号）とが取り込まれる。ＭＰＵ１は、カバーセンサ(2)１９でプリンタカバーが開いていることが検出されたとき、又はジャム解除カバーセンサ２０でジャム解除カバーが開いていることが検出されたとき、いずれもＨＤＤ２３の読み書きを停止する制御を行う。
【００２１】
また、プリンタ機構制御回路１８は、プリンタの感光ドラム、現像ローラ、転写ローラ、加熱ローラ、加圧ローラ、搬送ローラ等を回転駆動するモータ２１の動作等を制御する。データ記憶用のＨＤＤ２３は、ＨＤＤＩ/Ｆ２２を介してバス２５に接続されている。      
【００２２】
次に、この複合機においてプラテンカバーの開閉時の動作について、図２のフロー図を参照して説明する。まずステップＳＴ１において、カバーセンサ(1)の出力Ｓをスキャナ機構制御回路７に取り込む。ステップＳＴ２においては、その出力Ｓが直前の出力Ｓ０と異なるのか判定する。Ｓ＝Ｓ０であるとき(判定ＮＯのとき)は、プラテンカバーを開閉していないことになるので、当該処理を終了する。
【００２３】
Ｓ≠Ｓ０のとき(判定ＹＥＳのとき)は、すなわちプラテンカバーが閉じている状態で原稿のコピーを行うためにプラテンカバーを開けたとき、又は原稿をフラットベッドスキャナに載せた後にプラテンカバーを閉じたときは、ステップＳＴ３において、ＨＤＤアクセス禁止フラグＦ＝１とし、ＨＤＤの読み書きを禁止する。
【００２４】
次いで、ステップＳＴ４において、タイマＴをリセットしてから、ステップＳＴ５において、タイマＴをスタートさせ、ステップＳＴ６において、タイマＴがタイムアップしたか判定し、タイムアップするまで待機する。このタイマＴがタイムアップするまでの間、つまり、プラテンカバー開閉後のしばらくの間は、ＨＤＤの読み書きを禁止する。これにより、プラテンカバーの開閉動作によって生じる振動により起こり得るＨＤＤの誤動作、故障を防止することができる。タイマＴがタイムアップすると、ステップＳＴ７において、ＨＤＤアクセス禁止フラグＦ＝０とし、ＨＤＤの読み書きを許可し、当該処理を終了する。
【００２５】
この複合機においてプリンタカバー及びジャム解除カバーの開閉時の動作について、図３のフロー図を参照して説明する。但し、ここではカバーが閉じているときのセンサの出力がオンであるものとする。ステップＳＴ１１において、カバーセンサ(2)の出力がオフか判定する。出力オフのときは、プリンタカバーが開けられたことになるので、ステップＳＴ１２において、ＨＤＤアクセス禁止フラグＦ＝１とし、ＨＤＤの読み書きを禁止し、当該処理を終了する。
【００２６】
カバーセンサ(2)の出力がオンのとき（プリンタカバーが閉じているとき）は、続いてステップＳＴ１３において、ジャム解除カバーセンサの出力がオフか判定する。出力オフのときは、ジャム解除カバーが開けられたことになるので、ステップＳＴ１２において、ＨＤＤアクセス禁止フラグＦ＝１とし、ＨＤＤの読み書きを禁止し、当該処理を終了する。ジャム解除カバーセンサの出力がオンのときは、ジャム解除カバーが閉じているので、ステップＳＴ１４において、ＨＤＤアクセス禁止フラグＦ＝０とし、ＨＤＤの読み書きを許可し、当該処理を終了する。
【００２７】
この処理では、プリンタカバーが開いているときに、トナーボトルの着脱や、ドラムユニット、現像ユニットの交換、詰まった用紙の除去等の操作を行っても、ＨＤＤの読み書きが停止されているので、それらの操作による振動で起こり得るＨＤＤの誤動作、故障を防止することができる。また、ジャム解除カバーが開いているときに、詰まった用紙の除去のために振動が発生するが、このような振動に対しても、ＨＤＤの誤動作や故障を防止することができる。
【図面の簡単な説明】
【００２８】
【図１】実施形態に係る画像形成装置の全体の概略構成ブロック図である。
【図２】同複合機においてプラテンカバーの開閉時の動作を示すフロー図である。
【図３】同複合機においてプリンタカバー及びジャム解除カバーの開閉時の動作を示すフロー図である。
【符号の説明】
【００２９】
１      ＭＰＵ(制御手段)
５      読取画像処理回路
７      スキャナ機構制御回路
１０    プラテンカバーの開閉動作を検出するカバーセンサ(1)
１８    プリンタ機構制御回路
１９    プリンタカバーが開いていることを検出するカバーセンサ(2)
２０    ジャム解除カバーが開いていることを検出するジャム解除カバーセンサ
２３    ＨＤＤ
【図１】
2006135821.tif 000003
【図２】
2006135821.tif 000004
【図３】
2006135821.tif 000005